(57)【要約】【課題】傘骨全体の構造強度を大幅に高める耐風傘構造を提供する。【解決手段】耐風傘構造は、傘１０を備える。傘１０は、中棒２を有する。中棒２の頂端には、上ろくろ３が固設される。中棒２の外周には自在に摺動可能な下ろくろ４が嵌設される。上ろくろ３及び下ろくろ４の周りには、同じ数で複数個の親骨群１及び受骨５がそれぞれ設けられる。親骨群１は、第１の親骨１１、第２の親骨１２及び第３の親骨１３を有し、各親骨１１，１２，１３は互いに順次枢着される。親骨群１の上面には傘布６が敷設される。第２の親骨１２の一端には、第１の接続部１２１が設けられる。第１の接続部１２１上には、枢着座８が設けられる。枢着座８には、摺動杆体７が接続される。摺動杆体７の一端には、第３の親骨１３上に嵌合する可動枢着部７１が設けられる。第３の親骨１３上には、可動枢着部７１を位置決めする位置決め部材１３１が設けられる。【選択図】図１
0003210761.tif 000002
【実用新案登録請求の範囲】
【請求項１】
傘を備える耐風傘構造であって、
前記傘は、中棒を有し、
前記中棒の頂端には、上ろくろが固設され、前記中棒の外周には自在に摺動可能な下ろくろが嵌設され、前記上ろくろ及び前記下ろくろの周りには、同じ数で複数個の親骨群及び受骨がそれぞれ設けられ、前記親骨群は、第１の親骨、第２の親骨及び第３の親骨を有し、各前記親骨は互いに順次枢着され、前記親骨群の上面には傘布が敷設され、
前記第２の親骨の一端には、第１の接続部が設けられ、
前記第１の接続部上には、枢着座が設けられ、
前記枢着座には、摺動杆体が接続され、
前記摺動杆体の一端には、前記第３の親骨上に嵌合する可動枢着部が設けられ、
前記第３の親骨上には、前記可動枢着部を位置決めする位置決め部材が設けられ、
前記第３の親骨と前記摺動杆体とは連動し、前記第２の親骨及び前記第３の親骨が受ける風力を低減し、前記第２の親骨及び前記第３の親骨を長期間使用しても、元の状態を維持し、傘骨全体の構造強度を向上することを特徴とする耐風傘構造。
【請求項２】
前記摺動杆体は互いに隣り合う複数個を組み合わせて設置し、
前記摺動杆体は、両端部が相向かって倒れて連結し、両側が拡張されてメインリブが中間部に形成され、一端部が湾曲して１個又は複数個の係入穴が形成されていることを特徴とする請求項１に記載の耐風傘構造。
【請求項３】
前記可動枢着部は、前記摺動杆体の一端に枢着されたスリーブであり、
前記スリーブは、前記第３の親骨上に嵌設され、
前記スリーブの開口端は、前記摺動杆体に枢着されていることを特徴とする請求項１に記載の耐風傘構造。
【請求項４】
前記可動枢着部は、前記摺動杆体の一端が湾曲されて形成された係入穴であることを特徴とする請求項１に記載の耐風傘構造。
【請求項５】
前記第１の親骨は、一端が前記上ろくろに接続され、他端が第２の接続部に接続され、
前記第２の親骨の一端は、第３の接続部を有し、
前記第２の接続部は、前記第３の接続部に接続され、
前記第２の接続部と前記第３の接続部との接続箇所は、上下に重ねられて嵌合されて当接支点に成形されることを特徴とする請求項１に記載の耐風傘構造。
【請求項６】
長傘又は折り畳み傘であることを特徴とする請求項１に記載の耐風傘構造。
【考案の詳細な説明】
【技術分野】
【０００１】
本考案は、生活用品に関し、特に、耐風傘構造に関する。
【背景技術】
【０００２】
傘は太陽光を遮って雨を防ぐ道具であり、様々な分野で老若男女全ての人により幅広く使用され、日傘、雨傘であってもそれらの最大の目的は、人が不快に感じる自然界の現象（例えば、強烈な日差し、雨など）から守り、人々が自由に行動できるようにすることである。しかし従来の傘は長年の問題点を確実に改善することができなかった。例えば、風力により干渉され易く、風力は自然界で最も普遍的な現象の一つであり、人が傘を差して使用する際、傘布の面積が大きすぎるため、風力の影響を大きく受け、風が傘布の内側に吹き込むと、風の力により傘を持ち続けることが困難となったり、風にあおられて傘が裏返ったりすることが頻繁に起きた。そのため、傘を使用している者は太陽光を遮って雨を防ぐ機能を得ることは困難であった。特に、大雨が降っているときに発生すると、傘を使用している者がビショビショに濡れてしまい、気分が一挙に落ち込む上、風にあおられて傘が裏返って傘が損壊してしまうことがあった。このことから分かるよう、上述した従来の傘には多くの欠点があり完全でなく、改善が求められていた。
【考案の概要】
【考案が解決しようとする課題】
【０００３】
本考案の主な目的は、摺動杆体と第３の親骨とを連動関係にし、第２の親骨及び第３の親骨が受ける風力を大幅に低減し、第２の親骨及び第３の親骨が強い風を受けても、依然として元の状態に保持されて変形し難くし、傘骨全体の構造強度を大幅に高め、これにより折り畳み傘が強い風を受けて傘骨が折れ曲がってしまう従来技術の問題点を改善する耐風機能を有する耐風傘構造を提供することにある。
【課題を解決するための手段】
【０００４】
上記課題を解決するために、本考案の第１の形態によれば、傘を備える耐風傘構造であって、前記傘は、中棒を有し、前記中棒の頂端には、上ろくろが固設され、前記中棒の外周には自在に摺動可能な下ろくろが嵌設され、前記上ろくろ及び前記下ろくろの周りには、同じ数で複数個の親骨群及び受骨がそれぞれ設けられ、前記親骨群は、第１の親骨、第２の親骨及び第３の親骨を有し、各前記親骨は互いに順次枢着され、前記親骨群の上面には傘布が敷設され、前記第２の親骨の一端には、第１の接続部が設けられ、前記第１の接続部上には、枢着座が設けられ、前記枢着座には、摺動杆体が接続され、前記摺動杆体の一端には、前記第３の親骨上に嵌合する可動枢着部が設けられ、前記第３の親骨上には、前記可動枢着部を位置決めする位置決め部材が設けられ、前記第３の親骨と前記摺動杆体とは連動関係にあり、前記第２の親骨及び前記第３の親骨が受ける風力を大幅に低減し、前記第２の親骨及び前記第３の親骨を長期間使用しても、元の状態を維持して変形することを防ぎ、傘骨全体の構造強度が大幅に向上することを特徴とする耐風傘構造が提供される。
【０００５】
前記摺動杆体は互いに隣り合う複数個を組み合わせて設置し、前記摺動杆体は、両端部が相向かって倒れて連結し、両側が拡張されてメインリブが中間部に形成され、一端部が湾曲して１個又は複数個の係入穴が形成されていることが好ましい。
【０００６】
前記可動枢着部は、前記摺動杆体の一端に枢着されたスリーブであり、前記スリーブは、前記第３の親骨上に嵌設され、前記スリーブの開口端は、前記摺動杆体に枢着されていることが好ましい。
【０００７】
前記可動枢着部は、前記摺動杆体の一端が湾曲されて形成された係入穴であることが好ましい。
【０００８】
前記第１の親骨は、一端が前記上ろくろに接続され、他端が第２の接続部に接続され、前記第２の親骨の一端は、第３の接続部を有し、前記第２の接続部は、前記第３の接続部に接続され、前記第２の接続部と前記第３の接続部との接続箇所は、上下に重ねられて嵌合されて当接支点に成形されることが好ましい。
【０００９】
長傘又は折り畳み傘であることが好ましい。
【考案の効果】
【００１０】
本考案の耐風傘構造は、摺動杆体と第３の親骨とを連動関係にし、第２の親骨及び第３の親骨が受ける風力を大幅に低減し、第２の親骨及び第３の親骨が強い風を受けても、依然として元の状態に保持されて変形し難くし、傘骨全体の構造強度を大幅に高め、これにより折り畳み傘が強い風を受けて傘骨が折れ曲がってしまう従来技術の問題点を改善することができる。
【図面の簡単な説明】
【００１１】
【図１】図１は、本考案の一実施形態に係る耐風傘構造を示す断面図である。
【図２】図２は、本考案の一実施形態に係る耐風傘構造の親骨群の構造を示す斜視図である。
【図３】図３は、本考案の一実施形態に係る耐風傘構造の摺動杆体の構造を示す斜視図である。
【図４】図４は、本考案の一実施形態に係る耐風傘構造が互いに隣り合う複数個の摺動杆体を示す斜視図である。
【図５】図５は、本考案の一実施形態に係る耐風傘構造の使用状態の説明図（１）である。
【図６】図６は、本考案の一実施形態に係る耐風傘構造の使用状態の説明図（２）である。
【図７】図７は、本考案の一実施形態に係る耐風傘構造を長傘に応用した状態を示す断面図である。
【考案を実施するための形態】
【００１２】
図１及び図２を参照する。図１及び図２に示すように、本考案の一実施形態に係る耐風傘構造は、傘１０を含む。傘１０は折り畳み傘であるが、これだけに限定されるわけではなく、長傘（図７を参照する）でもよい。傘１０は、中棒２を有する。中棒２の頂端には、上ろくろ３が固設され、中棒２の外周には自在に摺動可能な下ろくろ４が嵌設される。上ろくろ３及び下ろくろ４の周りには、同じ数で複数個の親骨群１及び受骨５がそれぞれ設けられる。親骨群１は、第１の親骨１１、第２の親骨１２及び第３の親骨１３を有し、各親骨１１，１２，１３の長さは異なってもよい。第１の親骨１１、第２の親骨１２及び第３の親骨１３は順次枢着され、親骨群１の上面には傘布６が敷設されている。第２の親骨１２の一端は、第１の接続部１２１を有する。第１の接続部１２１の一端には、第３の親骨１３が接続される。第１の接続部１２１と第３の親骨１３との接続箇所には、第３の親骨１３の一端を支持するブロック１２３が設けられ、第１の接続部１２１上には枢着座８が設けられる。枢着座８には、摺動杆体７が接続される。摺動杆体７の一端には、第３の親骨１３上に嵌合される可動枢着部７１が設けられる。第３の親骨１３上には、可動枢着部７１を位置決めする位置決め部材１３１が設けられ、第３の親骨１３と摺動杆体７とは連動関係にあり、第２の親骨１２及び第３の親骨１３が受ける風力を大幅に低減し、第２の親骨１２及び第３の親骨１３が風力を受けても元の状態に維持されて変形し難く、傘骨全体の構造強度を大幅に向上することができる。
【００１３】
ここで、本実施形態の第１の親骨１１は、一端が上ろくろ３に接続され、他端が第２の接続部１１１に接続される。第２の親骨１２の一端は、第３の接続部１２２を有する。第２の接続部１１１は、第３の接続部１２２に接続される。第２の接続部１１１と第３の接続部１２２との接続箇所は、上下に重ねられて嵌合されて当接支点に成形される。
【００１４】
また、可動枢着部７１は、摺動杆体７の一端が湾曲されて形成された係入穴であるが、これだけに限定されず、摺動杆体７の一端が第３の親骨１３上に可動可能に嵌合される限り如何なる方式を採用してもよい。例えば、図３に示すように、本実施形態の可動枢着部７１は、摺動杆体７の一端でもよいし、枢着されたスリーブでもよい。スリーブは第３の親骨１３上に嵌合される。スリーブの開口端は、摺動杆体７に枢着される。また、本実施形態の摺動杆体７の個数は１個であるが、これだけに限定されず、実際の状況に応じて摺動杆体７は互いに隣り合う複数個を組み合わせて設置し、各摺動杆体７の両端が相向かって倒れて連結し、中間部には両側が拡張されてメインリブ７２が形成され、一端が湾曲して１個又は複数個の係入穴が形成される（図４を参照する）。
【００１５】
図５を参照する。図５に示すように、本実施形態の傘１０は、非常に大きな風力が発生して第３の親骨１３が浮き上がって裏返ると、摺動杆体７と位置決め部材１３１とが係合するため、摺動杆体７が第３の親骨１３を引っ張り、第２の接続部１１１と第３の接続部１２２との接続箇所に当接支点が成形され、第２の親骨１２の当接作用により第２の親骨１２及び第３の親骨１３が受ける風力が低減され、第３の親骨１３が裏返って損壊してしまうことを防ぐ。
【００１６】
図６を参照する。図６に示すように、本実施形態の折り畳み傘１０は、大きな風を受けると、第３の親骨１３の正面が風力により押し下げられ、摺動杆体７が傘の手元方向へ摺動して位置決め部材１３１との係合が外れ、このときに第２の接続部１１１と第３の接続部１２２との接続箇所が互いに当止して押し当てられ、第２の親骨１２に当接され、摺動杆体７は、第３の親骨１３の押し当て作用を助け、第２の親骨１２及び第３の親骨１３が受ける風力を低減し、傘１０は高い耐風力を得ることができる。
【００１７】
図７を参照する。図７に示すように、本実施形態の傘１０は、長傘である。傘１０は、中棒２を有する。中棒２は、頂端に上ろくろ３が固定され、中棒２の外周には、自在に摺動可能な下ろくろ４が嵌合される。上ろくろ３及び下ろくろ４の周りには、複数個で同じ数の親骨群１及び受骨５がそれぞれ設けられる。親骨群１の上面には、傘布６が敷設される。本実施形態の親骨群１は長傘骨でもよく、受骨５上には枢着座８が設けられる。枢着座８には、摺動杆体７が接続される。摺動杆体７の一端には、親骨群１上に嵌合される可動枢着部７１が設けられ、親骨群１上には、可動枢着部７１を位置決めする位置決め部材１３１が設けられ、親骨群１と摺動杆体７とは連動関係にあり、親骨群１及び受骨５が受ける風力を大幅に低減し、親骨群１及び受骨５が強い風を受けても、依然として元の状態に保持されて変形し難く、傘骨全体の構造強度を大幅に高めることができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  親骨群
２  中棒
３  上ろくろ
４  下ろくろ
５  受骨
６  傘布
７  摺動杆体
８  枢着座
１０  傘
１１  第１の親骨
１２  第２の親骨
１３  第３の親骨
７１  可動枢着部
７２  メインリブ
１１１  第２の接続部
１２１  第１の接続部
１２２  第３の接続部
１２３  ブロック
１３１  位置決め部材
【図１】
0003210761.tif 000003
【図２】
0003210761.tif 000004
【図３】
0003210761.tif 000005
【図４】
0003210761.tif 000006
【図５】
0003210761.tif 000007
【図６】
0003210761.tif 000008
【図７】
0003210761.tif 000009